(57)【要約】【課題】  簡素な構成により多目的の使用に対応することができると共に情報提示のスペース効率が良く、外観をよりすっきりとした印象として美観を向上することができる情報伝達支援用パネル装置を得る。【解決手段】  壁面に沿って設けられた壁面パネルと、該壁面パネルの前面パネル２ａと所定距離を隔てて設けられ、該前面パネル２ａに沿う水平方向に移動可能な可動パネル３であるスライドパネル３１ａ，３１ｂと、スライドパネル３１ａ，３１ｂの移動と干渉しないように前記前面パネル２ａに取付けられたホワイトボード４１若しくは黒板、ボードスクリーン、ロールスクリーン、掲示板若しくは情報ボード等の情報伝達支援手段４と、スライドパネル３１ａ，３１ｂを収納する戸袋５１，５１とを備えた。【選択図】        図２
2006315223.tif 000002
【特許請求の範囲】
【請求項１】
壁面に沿って設けられた壁面パネル又は空間を仕切る間仕切パネルと、
該壁面パネル又は間仕切パネルの前面パネルと所定距離を隔てて設けられ、該前面パネルに沿う水平方向に移動可能な可動パネルと、
該可動パネルの移動と干渉しないように前記前面パネルに取付けられた、若しくは、前記前面パネル及び可動パネル間の空間内に配設された、又は、前記前面パネル自体とされた、ホワイトボード、黒板、ボードスクリーン、ロールスクリーン、掲示板若しくは情報ボード等の情報伝達支援手段とを備えた情報伝達支援用パネル装置。
【請求項２】
前記可動パネルが、スライドパネル又は折戸パネルであり、その閉鎖状態において前記情報伝達支援手段を覆い、その開放状態において前記情報伝達支援手段を利用可能としてなる請求項１記載の情報伝達支援用パネル装置。
【請求項３】
前記可動パネルの前面側が、ホワイトボード、黒板、ボードスクリーン、掲示板又は情報ボード等の第２情報伝達支援手段である請求項１又は２記載の情報伝達支援用パネル装置。
【請求項４】
前記スライドパネルを収納可能な戸袋を設け、
該戸袋を開閉可能としてなる請求項２記載の情報伝達支援用パネル装置。
【発明の詳細な説明】
【技術分野】
【０００１】
本発明は、会議室等において、ホワイトボード、黒板、プロジェクタースクリーン又は掲示板等により情報伝達を行う情報伝達支援用パネル装置に関するものである。
【背景技術】
【０００２】
従来の情報伝達支援用パネル装置として、キャスター付きの脚を取付けて移動可能とされたホワイトボード、黒板及び掲示版等のパネル、並びに、キャスター付きの脚を取付けて移動可能とされた、又は、壁面に固定されたプロジェクタースクリーンであるボードスクリーン等のパネルが広く用いられている。
【０００３】
また、従来の情報伝達支援用パネル装置として、ホワイトボード等のパネルと、該パネル各幅毎に所定間隔で設置される伸縮ポールと、各パネルを各伸縮ポールに固定する上部固定部材及び下部固定部材とにより、設置及び取外し並びに運搬が容易となるように構成してなるものがある（例えば、特許文献１参照。）。
【０００４】
さらに、ドアを除く大半の壁面に固定した上下のレールと、窓側面の床と天井間に適宜間隔で着脱自在に張設した複数のポールと、レール及びポールに着脱自在に係止される複数のホワイトボード又は掲示版等のボードと、該ボードの不使用時に若しくは不装着部分の上下レールを覆うように着脱自在に取付けるカバーとからなり、 会議室内の周囲に着脱自在に前記ボードを取付けて会議を支援するとともに、前記ボードを取付けても美観を損なうことがないように構成してなるものがある（例えば、特許文献２参照。）。
【０００５】
さらにまた、会議室等の壁面の一部をスクリーン又はホワイトボード等が納まるように除去し、不使用時には該開口部に壁面と同質の装飾等を施した化粧板を位置せしめ、使用時には前記スクリーン又はホワイトボード等を前記壁面に進出させるように、化粧版ユニット、スクリーンユニット及びホワイトボードユニットの進退機構、及び、ホワイトボード及び化粧版を壁面に対して平行に移動させる開閉機構を備え、多目的の使用に対応可能となるように構成してなるものがある（例えば、特許文献３参照。）。
【０００６】
【特許文献１】特開平７−２５１５９８号公報（図１−３）
【特許文献２】特開平７−２３２４９６号公報（図１−３）
【特許文献３】特開平８−３３３９０５号公報（図１−５、図１３−１４）
【発明の開示】
【発明が解決しようとする課題】
【０００７】
従来の情報伝達支援用パネル装置として、キャスター付きの脚を取付けて移動可能とされたパネル装置及び壁面に固定されたパネル装置を用いるものにあっては、会議室等に備え付けておく該パネル装置が乱雑な印象を与え、美観が損なわれるという問題点がある。また、多くの情報を提示するためには必要な枚数のパネルを並設する必要があるため、情報提示のスペース効率が悪いという問題点がある。さらに、キャスター付きの脚を取付けて移動可能とされたホワイトボード等のパネルは、書込み時に筆圧により動きやすいため作業性が悪いという問題点がある。
【０００８】
特許文献１の情報伝達支援用パネル装置は、伸縮ポールに各パネルを取付ける構成であるため、該伸縮ポール等の露出により美観が損なわれるという問題点がある。また、該パネル装置による情報伝達支援の用途が限定されるため、多目的の使用に対応することができないという問題点がある。例えば、プロジェクタースクリーンを使用する場合には、プロジェクタースクリーンを別設する必要がある。さらに、多くの情報を提示するためには必要な枚数のパネルを並設する必要があるため、情報提示のスペース効率が悪いという問題点がある。
【０００９】
特許文献２の情報伝達支援用パネル装置は、該パネル装置による情報伝達支援の用途が限定されるため、多目的の使用に対応することができないという問題点がある。例えば、プロジェクタースクリーンを使用する場合には、プロジェクタースクリーンを別設する必要がある。また、並設する多くのボードにより情報を提示するため、情報が分散しやすいという問題点がある。さらに、上下レールはカバーで覆われるため美観が向上しているが、該カバーで覆われた上下レールは露出するため、室内をよりすっきりとした印象とするためには改良の余地がある。
【００１０】
特許文献３の情報伝達支援用パネル装置は、壁の裏側に大掛かりな駆動機構を設ける必要があるため、初期コスト及び保守点検コストが増大するという問題点がある。また、壁の裏側に比較的大きな空間が必要となるため、会議室等として利用できるスペースが縮減するという問題点がある。さらに、前記駆動機構が故障した場合には該パネル装置を使用することができないという問題点がある。
【００１１】
本発明は、前記のような問題点を解決するためになされたものであり、簡素な構成により多目的の使用に対応することができると共に情報提示のスペース効率が良い情報伝達支援用パネル装置を得ることを目的とする。また、外観をよりすっきりとした印象として美観を向上することができる情報伝達支援用パネル装置を得ることを目的とする。
【課題を解決するための手段】
【００１２】
本発明に係る情報伝達支援用パネル装置は、前記課題解決のために、壁面に沿って設けられた壁面パネル又は空間を仕切る間仕切パネルと、該壁面パネル又は間仕切パネルの前面パネルと所定距離を隔てて設けられ、該前面パネルに沿う水平方向に移動可能な可動パネルと、該可動パネルの移動と干渉しないように前記前面パネルに取付けられた、若しくは、前記前面パネル及び可動パネル間の空間内に配設された、又は、前記前面パネル自体とされた、ホワイトボード、黒板、ボードスクリーン、ロールスクリーン、掲示板若しくは情報ボード等の情報伝達支援手段とを備えたものである。
【００１３】
ここで、前記可動パネルが、スライドパネル又は折戸パネルであり、その閉鎖状態において前記情報伝達支援手段を覆い、その開放状態において前記情報伝達支援手段を利用可能としてなると好ましい。
【００１４】
また、前記可動パネルの前面側が、ホワイトボード、黒板、ボードスクリーン、掲示板又は情報ボード等の第２情報伝達支援手段であると好ましい。
【００１５】
さらに、前記スライドパネルを収納可能な戸袋を設け、該戸袋を開閉可能としてなると好ましい。
【発明の効果】
【００１６】
本発明に係る情報伝達支援用パネル装置によれば、壁面に沿って設けられた壁面パネル又は空間を仕切る間仕切パネルと、該壁面パネル又は間仕切パネルの前面パネルと所定距離を隔てて設けられ、該前面パネルに沿う水平方向に移動可能な可動パネルと、該可動パネルの移動と干渉しないように前記前面パネルに取付けられた、若しくは、前記前面パネル及び可動パネル間の空間内に配設された、又は、前記前面パネル自体とされた、ホワイトボード、黒板、ボードスクリーン、ロールスクリーン、掲示板若しくは情報ボード等の情報伝達支援手段とを備えたので、簡素な構成により情報提示のスペース効率を向上することができると共に、多目的用途への対応性を向上することができる。また、情報伝達支援用パネル装置の設置スペースの増大を抑制することができるため、省スペース化を図ることができる。さらに、情報伝達支援手段は壁面パネル等により安定かつ確実に保持されため、該情報伝達支援手段の使用者の作業性が向上する。
【００１７】
また、前記可動パネルが、スライドパネル又は折戸パネルであり、その閉鎖状態において前記情報伝達支援手段を覆い、その開放状態において前記情報伝達支援手段を利用可能としてなると、必要な時にのみ前記情報伝達支援手段を露出させて利用可能とすることができるため、情報伝達支援用パネル装置の外観をよりすっきりとした印象として美観を向上することができる。
【００１８】
さらに、前記可動パネルの前面側が、ホワイトボード、黒板、ボードスクリーン、掲示板又は情報ボード等の第２情報伝達支援手段であると、情報提示のスペース効率及び多目的用途への対応性をさらに向上することができる。
【００１９】
さらにまた、前記スライドパネルを収納可能な戸袋を設け、該戸袋を開閉可能としてなると、前記スライドパネルの点検が容易となる。また、前記戸袋を開いた状態では、前記スライドパネルが開放状態であっても該スライドパネルを露出させることができるため、該スライドパネルの前面側を、ホワイトボード、黒板、ボードスクリーン、掲示板又は情報ボード等の情報伝達支援手段とすれば、情報提示のスペース効率及び多目的用途への対応性をさらに向上することができる。さらに、前記戸袋の前面側にも前記情報伝達支援手段を設けた場合には、情報提示のスペース効率をより向上することができる。
【発明を実施するための最良の形態】
【００２０】
次に、本発明の実施の形態を添付図面に基づき詳細に説明するが、本発明は、添付図面に示された形態に限定されず特許請求の範囲に記載の要件を満たす実施形態の全てを含むものである。なお、本明細書において、壁面パネル又は間仕切パネルから情報伝達支援手段に向かう方向を前（図中矢印Ｆ方向参照。）、その反対側を後とし、前方から後方に向かって左右を左右とする。
【００２１】
実施の形態１．
図１は本発明の実施の形態１に係る情報伝達支援用パネル装置が用いられた会議室の例を示す横断平面図である。また、図２は本発明の実施の形態１に係る情報伝達支援用パネル装置を示す正面図、図３及び図４は同じく横断平面図、図５は同じく縦断右側面図である。なお、図２（ａ）及び図３は可動パネルの閉鎖状態を、図２（ｂ）及び図４は可動パネルの開放状態を示している。
【００２２】
情報伝達支援用パネル装置１は、図１に示すような、例えばテーブル１０３，１０４及び椅子１０５・・・等を備えてなる会議室１０１，１０２の既設の壁の壁面Ｗに沿って設けられた壁面パネル２、壁面パネル２の前面パネル２ａと所定距離を隔てて設けられ、前面パネル２ａに沿う水平方向に移動可能な可動パネル３、可動パネル３の移動と干渉しないように前面パネル２ａに取付けられた、ホワイトボード４１若しくは黒板、ボードスクリーン、ロールスクリーン、掲示板又は電子式の情報ボード等の情報伝達支援手段４とを備えている。なお、壁面パネル２は、片面パネル構造のものでもよい。また、壁面Ｗに沿って設ける壁面パネルではなく、空間を仕切る間仕切パネルを用いてもよい。さらに、情報伝達支援手段４は、前面パネル２ａ及び可動パネル３間の空間内に配設してもよい。さらにまた、前面パネル２ａ自体を情報伝達支援手段４としてもよい。
【００２３】
図３〜図５に示すように、天井面ＣＬに固定され左右方向に延びる天レール１１と床面ＦＬに固定され左右方向に延びる地レール１２との間に支柱１３・・・を立設し、これらに囲まれる矩形状の空間を塞ぐように前面パネル２ａ及び後面パネル２ｂが装着されて、壁面パネル２が形成される。該壁面パネル２の前面パネル２ａと所定距離を隔てて設けられた可動パネル３の例として示すスライドパネル３１ａ，３１ｂは、天井面ＣＬ及び前面パネル２ａに固定されたレール受け１４により支持されて左右方向に延びる上部レール１５に、スライドパネル３１ａ，３１ｂの後面上部に取付けられたパネル吊金具１７を介して吊車１６を係合させることにより、前面パネル２ａに沿う水平方向（左右方向。図２の矢印Ａ参照。）に移動可能に支持される。
【００２４】
また、図５に示すように、床面ＦＬに固定された振れ止め１８のローラー１８ａをスライドパネル３１ａ，３１ｂの後面下部と左右方向に長く形成した振れ止めカバー１８ｂとにより挟むようにしてガイドする構成としているため、スライドパネル３１ａ，３１ｂの左右方向の移動の安定化が図られている。さらに、図２（ａ）及び図３に示すスライドパネル３１ａ，３１ｂの閉鎖状態においては、マグネットキャッチ１９，１９によりスライドパネル３１ａ，３１ｂの下面が支持され、スライドパネル３１ａ，３１ｂの安定化が図られている。
【００２５】
以上のような簡素な構成により、スライドパネル３１ａ，３１ｂの左右方向の移動を安定かつ確実に行うことができると共に、図２（ｂ）及び図４に示すスライドパネル３１ａ，３１ｂの開放状態において、開口下部の床面ＦＬには障害物がないため、ホワイトボード４１等の使用者の邪魔になる障害物がない構成となっている。また、情報伝達支援手段４であるホワイトボード４１等は壁面パネル２等により安定かつ確実に保持され、書込み時の筆圧等によってもホワイトボード４１等が動かないため、情報伝達支援手段４の使用者の作業性が向上する。
【００２６】
図２（ｂ）及び図４のように、引手２１によりスライドパネル３１ａを左に、引手２１によりスライドパネル３１ｂを右に移動させると、スライドパネル３１ａ，３１ｂは左右の戸袋５１，５１に収納される。このようにスライドパネル３１ａ，３１ｂを戸袋５１，５１に収納した可動パネル３の開放状態においては、前記ホワイトボード４１等の情報伝達支援手段４が利用可能となる。また、図２（ａ）及び図３のような可動パネル３の閉鎖状態では、該可動パネル３により前記情報伝達支援手段４が覆われるため、必要な時にのみ前記情報伝達支援手段４を露出させて利用可能とすることができるため、情報伝達支援用パネル装置１の外観をよりすっきりとした印象として美観を向上することができる。
【００２７】
図３に示すように、左右の戸袋５１，５１は、支柱２２により枢軸２２ａまわりに前方へ開くことができる（図中矢印Ｂ参照。）。このように戸袋５１，５１は開閉可能であるため、スライドパネル３１ａ，３１ｂの点検が容易となる。また、該戸袋５１，５１を開いた状態では、可動パネル３であるスライドパネル３１ａ，３１ｂの開放状態であっても該スライドパネル３１ａ，３１ｂを露出させることができるため、該スライドパネル３１ａ，３１ｂの前面側を、ホワイトボード、黒板、ボードスクリーン、掲示板又は電子式の情報ボード等の第２情報伝達支援手段とすれば、情報提示のスペース効率を向上することができると共に、多目的用途への対応性を向上することができる。さらに、該戸袋５１，５１の前面側にホワイトボード、黒板又は掲示板等の情報伝達支援手段を設けた場合には、情報提示のスペース効率をさらに向上することができる。なお、戸袋５１，５１は折戸であってもよい。
【００２８】
実施の形態２．
図６は本発明の実施の形態２に係る情報伝達支援用パネル装置を示す正面図であり、図７（ａ）は同じく横断平面図、図７（ｂ）は同じく縦断右側面図である。図６及び図７において、実施の形態１の図２〜図５と同一符号は同一又は相当部分を示している。
【００２９】
実施の形態２に係る情報伝達支援用パネル装置１において、既設の壁の壁面Ｗに沿って設けられた壁面パネル２は天井面ＣＬとの間隔をあけて設けられている。該壁面パネル２にはボードスクリーン４２及び掲示板又は電子式の情報ボード４４，４４が取付けられており、床面ＦＬ上に設けられた収納庫２３の上側には可動パネル３であるスライドパネル３１ａ，３１ｂ及びスライドパネル３１ｃが設けられている。スライドパネル３１ａ，３１ｂ及び３１ｃは、吊下げ支持又は上下を支持されて左右方向に移動可能となっている（図中矢印Ａ及びＣ参照。）。また、スライドパネル３１ａ，３１ｂはホワイトボード４１又は黒板となっており、スライドパネル３１ｃはハンギングパネル４５となっている。
【００３０】
したがって、壁面パネル２に取付けられたボードスクリーン４２及び掲示板又は電子式の情報ボード４４が情報伝達支援手段４であり、ホワイトボード４１又は黒板（スライドパネル３１ａ，３１ｂ）及びハンギングパネル４５が可動パネル３の前面側に設けられた第２情報伝達支援手段５となっている。なお、ハンギングパネル４５には、左右方向の溝を利用して掲示を行うこともできるし、該溝を利用してホワイトボード用マーカー及びイレーザー等を載置する載置台４５ａ等のオプションを取付けることもできる。
【００３１】
このような簡素な構成により、情報提示のスペース効率を向上することができると共に、多目的用途への対応性を向上することができる。また、情報伝達支援用パネル装置１の設置スペースの増大を抑制することができるため、省スペース化を図ることができる。
【００３２】
実施の形態３．
図８は本発明の実施の形態３に係る情報伝達支援用パネル装置を示す正面図であり、図９（ａ）は同じく横断平面図、図９（ｂ）は同じく縦断右側面図である。図８及び図９において、実施の形態１及び２の図２〜図７と同一符号は同一又は相当部分を示している。
【００３３】
実施の形態３に係る情報伝達支援用パネル装置１において、実施の形態２との主な相違点は、壁面パネル２が天井面ＣＬとの間隔をあけて設けられていないこと、及び、前側の可動パネル３がスライドパネル３１ｄであり、該スライドパネル３１ｄが掲示板又は電子式の情報ボード４４となっていることである。そして、該スライドパネル３１ｄである掲示板又は電子式の情報ボード４４は、吊下げ支持又は上下を支持されて左右方向に移動可能となっている（図中矢印Ｄ参照。）。このような構成によっても実施の形態２と同様の作用効果を奏する。
【００３４】
実施の形態４．
図１０は本発明の実施の形態４に係る情報伝達支援用パネル装置を示す正面図であり、図１１（ａ）は同じく横断平面図、図１１（ｂ）は同じく縦断右側面図である。図１０及び図１１において、実施の形態１及び２の図２〜図７と同一符号は同一又は相当部分を示している。
【００３５】
実施の形態４に係る情報伝達支援用パネル装置１において、実施の形態２との主な相違点は、壁面パネル２が天井面ＣＬとの間隔をあけて設けられていないこと、収納庫２３が左右端側のみに配設されていること、及び、前側の可動パネル３であるハンギングパネル４５がないことである。このような構成によっても実施の形態２と同様の作用効果を奏する。
【００３６】
実施の形態５．
図１２は本発明の実施の形態５に係る情報伝達支援用パネル装置を示す正面図であり、図１３（ａ）は同じく横断平面図、図１３（ｂ）は同じく縦断右側面図である。図１２及び図１３において、実施の形態１及び３の図２〜図５、図８及び図９と同一符号は同一又は相当部分を示している。
【００３７】
実施の形態５に係る情報伝達支援用パネル装置１において、実施の形態３との主な相違点は、壁面パネル２にホワイトボード４１又は黒板が取付けられていること、及び、可動パネル３であるスライドパネル３１ａ，３１ｂがなく、壁面パネル２に取付けられたホワイトボード４１又は黒板の前側に壁面上部又は天井下部に設けられた巻上げドラムから繰出し（図中矢印Ｅ参照。）・巻上げ可能とされたロールスクリーン４３が設けられていることである。このような構成によっても実施の形態３と同様の作用効果を奏する。
【００３８】
実施の形態６．
図１４は本発明の実施の形態６に係る情報伝達支援用パネル装置を示す正面図であり、図１５（ａ）は同じく横断平面図、図１５（ｂ）は同じく縦断右側面図である。図１４及び図１５において、実施の形態１及び２の図２〜図７と同一符号は同一又は相当部分を示している。
【００３９】
実施の形態１では、可動パネル３であるスライドパネル３１ａ，３１ｂ及び左右の戸袋５１，５１を用いて、可動パネル３の閉鎖状態において壁面パネル２の前面パネル２ａ（情報伝達支援手段４）を覆い、可動パネル３の開放状態において情報伝達支援手段４を利用可能とする構成を示したが、実施の形態６は、可動パネル３としてスライドパネル３１ｅ及び折戸パネル３２ａ並びにスライドパネル３１ｆ及び折戸パネル３２ｂを用いて、同様の機能を実現するものである。
【００４０】
すなわち、実施の形態６では、実施の形態２における可動パネル３であるスライドパネル３１ａ，３１ｂと共に、該スライドパネル３１ａ，３１ｂの前側に、可動パネル３としてスライドパネル３１ｅ及び折戸パネル３２ａ並びにスライドパネル３１ｆ及び折戸パネル３２ｂを設けており、必要な時にのみ情報伝達支援手段４及び第２情報伝達支援手段５を露出させて利用可能とすることができるため（図１４及び図１５の矢印Ａ並びに図１５の二点鎖線参照。）、情報伝達支援用パネル装置１の外観をよりすっきりとした印象とすることができる。
【００４１】
以上の説明におけるホワイトボード４１及びボードスクリーン４２は、ホワイトボード用マーカー等による書込み及び該書込みの消去が可能なホワイトボードの機能と反射型の映写スクリーンの機能とを併せ持つものであってもよい。
【図面の簡単な説明】
【００４２】
【図１】本発明の実施の形態１に係る情報伝達支援用パネル装置が用いられた会議室の例を示す横断平面図である。
【図２】本発明の実施の形態１に係る情報伝達支援用パネル装置を示す説明図であり、（ａ）は可動パネルの閉鎖状態を示す正面図、（ｂ）は可動パネルの開放状態を示す正面図である。
【図３】同じく横断平面図であり、可動パネルの閉鎖状態を示している。
【図４】同じく横断平面図であり、可動パネルの開放状態を示している。
【図５】同じく縦断右側面図である。
【図６】本発明の実施の形態２に係る情報伝達支援用パネル装置を示す正面図である。
【図７】本発明の実施の形態２に係る情報伝達支援用パネル装置を示す説明図であり、（ａ）は横断平面図、（ｂ）は縦断右側面図である。
【図８】本発明の実施の形態３に係る情報伝達支援用パネル装置を示す正面図である。
【図９】本発明の実施の形態３に係る情報伝達支援用パネル装置を示す説明図であり、（ａ）は横断平面図、（ｂ）は縦断右側面図である。
【図１０】本発明の実施の形態４に係る情報伝達支援用パネル装置を示す正面図である。
【図１１】本発明の実施の形態４に係る情報伝達支援用パネル装置を示す説明図であり、（ａ）は横断平面図、（ｂ）は縦断右側面図である。
【図１２】本発明の実施の形態５に係る情報伝達支援用パネル装置を示す正面図である。
【図１３】本発明の実施の形態５に係る情報伝達支援用パネル装置を示す説明図であり、（ａ）は横断平面図、（ｂ）は縦断右側面図である。
【図１４】本発明の実施の形態６に係る情報伝達支援用パネル装置を示す正面図である。
【図１５】本発明の実施の形態６に係る情報伝達支援用パネル装置を示す説明図であり、（ａ）は横断平面図、（ｂ）は縦断右側面図である。
【符号の説明】
【００４３】
１  情報伝達支援用パネル装置
２  壁面パネル
２ａ  前面パネル
２ｂ  後面パネル
３  可動パネル
４  情報伝達支援手段
５  第２情報伝達支援手段
３１ａ，３１ｂ，３１ｃ，３１ｄ，３１ｅ，３１ｆ  スライドパネル
３２ａ，３２ｂ  折戸パネル
４１  ホワイトボード
４２  ボードスクリーン
４３  ロールスクリーン
４４  掲示板又は情報ボード
４５  ハンギングパネル
５１  戸袋
１０１，１０２  会議室
ＣＬ  天井面
ＦＬ  床面
Ｗ  壁面
【図１】
2006315223.tif 000003
【図２】
2006315223.tif 000004
【図３】
2006315223.tif 000005
【図４】
2006315223.tif 000006
【図５】
2006315223.tif 000007
【図６】
2006315223.tif 000008
【図７】
2006315223.tif 000009
【図８】
2006315223.tif 000010
【図９】
2006315223.tif 000011
【図１０】
2006315223.tif 000012
【図１１】
2006315223.tif 000013
【図１２】
2006315223.tif 000014
【図１３】
2006315223.tif 000015
【図１４】
2006315223.tif 000016
【図１５】
2006315223.tif 000017